(57)【要約】【課題】会議通話における話者の増加に対する回り込みの増加を緩和することができる会議通話装置を提供する。【解決手段】複数（Ｎ）個の端末からの各入力音声信号を加算した（２）加算出力から各自端末の音声信号を引算して（３−１，３−２，・・・３−ｎ）得られるＮ−１加算出力を当該各自端末への出力音声信号とするＮ−１加算回路（１）を用いた会議通話装置において、前記各入力音声信号を加算する際に、前記Ｎ個の端末またはＮ−１個の端末のうちの半数の端末の該各入力音声信号の位相を反転して（４−１，４−ｉ）加算して前記加算出力を得ることにより、前記Ｎ個の端末の個数の増加に伴う各自端末への回り込みの増加を軽減するように構成されている。前記半数の端末は、前記Ｎ個の端末の偶数番目又は奇数番目の端末であるように構成することできる。【選択図】      図２
2005101800.tif 000002
【特許請求の範囲】
【請求項１】
複数（Ｎ）個の端末からの各入力音声信号を加算した加算出力から各自端末の音声信号を引算して得られるＮ−１加算出力を当該各自端末への出力音声信号とするＮ−１加算回路を用いた会議通話装置において、
前記各入力音声信号を加算する際に、前記Ｎ個の端末またはＮ−１個の端末のうちの半数の端末の該各入力音声信号の位相を反転して加算して前記加算出力を得ることにより、前記Ｎ個の端末の個数の増加に伴う各自端末への回り込みの増加を軽減するように構成された会議通話装置。
【請求項２】
前記半数の端末は、前記Ｎ個の端末の偶数番目又は奇数番目の端末であることを特徴とする請求項１に記載の会議通話装置。
【発明の詳細な説明】
【技術分野】
【０００１】
本発明は、複数の２線回線相互間で会議通話を行う電話会議通話装置に関するものである。
【背景技術】
【０００２】
この電話会議装置において、各２線回線からの音声は回線を２回通り音量が小さくなるため、電話会議装置では増幅（通話音量の補償）機能が必須となり、２線４線変換をし増幅・加算を行う。このとき、電話会議装置内には複数の４線多重ループが形成されるため、いかなる４線多重ループにおいても発振，鳴音等を起こさないようにしなければならない。
電気通信網を利用して３者以上で同時通話を可能とするいわゆる会議電話技術は、複数（Ｎ個）の端末より集信された音声は全数加算（混合）の後、これから各自端末の音声を差し引いた信号をそれぞれをその端末へ配信する技術（「Ｎ−１加算方式」と呼ばれている）を用いるものである。
【０００３】
すなわち、従来のＮ−１加算法では、図３に示すように会議参加者全員（Ｎ）の信号を加算（Σ）し、当該受話者の信号を差し引いた（Ｎ−１）の信号を受信する。従って、４者通話（ａ，ｂ，ｃ，ｄ）の場合、それぞれの加算結果は次の通りとなる。
（１）会議者全員の音声の加算結果  Σ＝ａ＋ｂ＋ｃ＋ｄ
（２）話者ａに対しての音声  ＝Σ−ａ＝ｂ＋ｃ＋ｄ
（３）話者ｂに対しての音声  ＝Σ−ｂ＝ａ＋ｃ＋ｄ
（４）話者ｃに対しての音声  ＝Σ−ｃ＝ａ＋ｂ＋ｄ
（５）話者ｄに対しての音声  ＝Σ−ｄ＝ａ＋ｂ＋ｃ
【０００４】
ここで話者ａの送信信号に対する受話側への回り込みをａ’とすると、会議通話全体では以下の通りとなる。
Σ−ａ＝（ｂ＋ａ’）＋（ｃ＋ａ’）＋（ｄ＋ａ’）
＝ｂ＋ｃ＋ｄ＋３ａ’
このように、従来のＮ−１加算法では、回り込みが会議通話の話者数に乗じて増加する。
【０００５】
このような問題点を解消しようとするために、いくつかの提案がある（特許文献１，２参照）。
【特許文献１】特公平８−２８７７６号公報
【特許文献２】特公平７−１５４４８７号公報
【発明の開示】
【発明が解決しようとする課題】
【０００６】
しかし、従来の解決手段は、回路構成が複雑であり、かつその制御も極めて複雑であり、装置規模が大となり、高価になる欠点がある。
【０００７】
本発明は、簡単な構成により、会議通話における話者の増加に対する回り込みの増加を緩和することができる会議通話装置を提供するものである。
【課題を解決するための手段】
【０００８】
この課題を解決するために、本発明による会議通話装置は、複数（Ｎ）個の端末からの各入力音声信号を加算した加算出力から各自端末の音声信号を引算して得られるＮ−１加算出力を当該各自端末への出力音声信号とするＮ−１加算回路を用いた会議通話装置において、
前記各入力音声信号を加算する際に、前記Ｎ個の端末またはＮ−１個の端末のうちの半数の端末の該各入力音声信号の位相を反転して加算して前記加算出力を得ることにより、前記Ｎ個の端末の個数の増加に伴う各自端末への回り込みの増加を軽減するように構成されている。
前記半数の端末は、前記Ｎ個の端末の偶数番目又は奇数番目の端末であるように構成することできる。
【発明の効果】
【０００９】
本発明により、簡単な構成と単なる制御動作により、会議通話における話者の増加に対する回り込みの増加を緩和し、所要の鳴音安定度を確保した会議通話を行うことができる。
【発明を実施するための最良の形態】
【００１０】
本発明では、鳴音対策として、図１に示すように、Ｎ−１加算回路において、偶数話者又は奇数話者に対する位相を反転して演算する。これにより話者の回り込みを緩和する。
すなわち、４者通話（ａ，ｂ，ｃ，ｄ）の場合の加算結果は、次の通りとなる。
（１）会議者全員の音声の加算結果  Σ＝ａ＋（−ｂ）＋ｃ＋（−ｄ）
＝ａ−ｂ＋ｃ−ｄ
（２）話者ａに対しての音声  ＝Σ−ａ＝−ｂ＋ｃ−ｄ
（３）話者ｂに対しての音声  ＝Σ−（−ｂ）＝ａ＋ｃ−ｄ
（４）話者ｃに対しての音声  ＝Σ−ｃ＝ａ−ｂ−ｄ
（５）話者ｄに対しての音声  ＝Σ−（−ｄ）＝ａ−ｂ＋ｃ
【００１１】
ここで、話者ａの送信信号に対する受話側への回り込みをａ”とすると、会議通話全体では以下の通りとなる。
Σ−ａ＝−（ｂ＋ａ”）＋（ｃ＋ａ”）−（ｄ＋ａ”）
＝ｂ＋ｃ−ｄ−ａ”
【００１２】
以上の結果、本発明によれば、話者が増加しても回り込み量は、話者の増加に関係なしに常にａ”以下とし、安定した鳴音安定度を確保することが可能となる。
【００１３】
図２は、本発明に用いるＮ−１加算回路１の実施例を示すもので、＜１＞，＜２＞，＜３＞，・・・＜ｎ＞は各通話者の端末に接続されている加入者回線（２線回線）である。各２線回線＜１＞，＜２＞，＜３＞，・・・＜ｎ＞は、対応するハイブリッド回路５−１，５−２，５−３，・・・，５−ｎを用いて２線−４線変換される。Ｎ−１加算回線１において、２は加算器、３−１，３−２，３−３・・・３−ｎは引算器、４−１，・・・４−ｉは位相反転器である。各加入者回線＜１＞，＜２＞，＜３＞，・・・＜ｎ＞からの通話信号は、加算器２において加算されるが、この際に、図１では偶数番目の各通話者の場合を示しているように、偶数番目（又は奇数番目）の各通話者の通話信号の位相を位相反転器４−１，・・・４−ｉで反転して加算する。加算器２の出力は各引算器３−１，３−２，・・・３−ｎで当該通話者の音声信号を差し引いた出力が当該通話者に返送される。この場合の各２線回線での回り込み量は、話者数に関係なしに、ａ”に限定される。
【００１４】
なお、２線回線の信号伝送に無視できない遅れが存在し、２線回線の遠隔での回り込みによりエコーが通話に影響を及ぼすことがある場合には、必要に応じて、その２線回線の遠端側にエコーサプレッサを挿入することにより、このエコーを押圧することができる。
【産業上の利用可能性】
【００１５】
本発明は、話者の増加に関係なしに一定の回り込み量を維持することができるため、多数通話者（例えば、２０通話者）間の会議通話装置にも広く適用することができる。
【図面の簡単な説明】
【００１６】
【図１】本発明に用いるＮ−１加算器の動作を説明するためのブロック図である。
【図２】本発明の構成例を示すブロック接続図である。
【図３】従来のＮ−１加算器の動作を説明するためのブロック図である。
【符号の説明】
【００１７】
１  Ｎ−１加算回路
＜１＞，＜２＞，＜３＞，・・・＜ｎ＞  加入者回線
２  加算器
３−１，３−２，３−３，・・・３−ｎ  引算器
４−１，・・・４−ｉ  位相反転器
５−１，５−２，５−３，・・・５−ｎ  ハイブリッド回路
【図１】
2005101800.tif 000003
【図２】
2005101800.tif 000004
【図３】
2005101800.tif 000005